(57)【特許請求の範囲】
【請求項１】
原稿台に載置された複数の原稿を第１速度で一枚ずつ読み取る読取手段と、
その読取手段により読み取られた画像データを前記第１速度より速い第２速度で搬送される記録紙上に画像形成が可能な画像形成手段と
を備えた記録装置であって、
前記読取手段により読み取られた画像データを記憶するための記憶手段と、
その記憶手段に記憶された画像データを読み出して前記画像形成手段に画像形成させるために、前記読取手段により原稿を読み取りながら前記画像形成手段により画像形成を行う同時コピーモードにおいては、前記記憶手段に次ページの画像データが存在するか否かを、その次ページの画像データの前記記憶手段への記憶が既に開始されている時点であると予め想定されるタイミングで確認する確認手段と、
その確認手段により、次ページの画像データが前記記憶手段に存在しないと判定されたら前記記録紙の搬送を停止し、一方、次ページの画像データが前記記憶手段に存在すると判定されたら前記記録紙の搬送を継続して、次の記録紙を搬送する搬送制御手段と、
を備えていることを特徴とする記録装置。
【請求項２】
前記確認手段は、前記読取手段により読み取られた画像データを一旦全て前記記憶手段に記憶させてから前記画像形成手段により画像形成を行うメモリモードにおいては、前記記憶手段に次ページの画像データが存在するか否かを、前記画像形成手段により先の記録紙への画像形成が終了する直前のタイミングで確認することを特徴とする請求項１記載の記録装置。
【請求項３】
外部装置からのデータを受信可能な受信手段を更に備え、その受信手段により受信されたデータを前記記憶手段に記憶させるように構成され、前記確認手段は、前記外部装置からのデータの記録時には、前記記憶手段に次ページの画像データが存在するか否かを、前記画像形成手段により先の記録紙への画像形成が終了する直前のタイミングで確認することを特徴とする請求項１，２何れか記載の記録装置。
【請求項４】
コピー機能を備えた記録装置であって、
複数の原稿が載置される原稿台から１枚ずつ取り込まれた前記原稿を第１速度で第１搬送路に沿って連続して搬送する第１搬送手段と、
前記第１搬送手段により連続して搬送されてくる前記原稿を読み取って画像データに変換する読取手段と、
前記読取手段で読み取られた画像データをメモリに記憶する記憶手段と、
画像を記録するための記録紙を、前記第１速度よりも速い第２速度で、第２搬送路に沿って搬送する第２搬送手段と、
前記メモリに記憶された画像データに基づいて、前記第２搬送手段により搬送される前記記録紙上に画像を形成する画像形成手段と、
前記読取手段で画像を読み取りながら、前記記録紙上に画像を記録するため、前記読取手段で読み取った画像データを前記記憶手段により前記メモリに記憶させつつ、該メモリに記憶された前記画像データを前記画像形成手段に順次出力するシングルモードのときは、次の画像データの前記メモリへの記憶が既に開始されている時点であると予め想定されるタイミングに、次の前記記録紙へ記録すべき画像の画像データが前記メモリに記憶されているか否かチェックするチェック手段と、
該チェック手段により、画像データが前記メモリに記憶されていないと判定されたら前記第２搬送手段を停止し、一方、画像データが前記メモリに記憶されていると判定されたら前記第２搬送手段の動作を継続して、次の前記記録紙を搬送する搬送制御手段と
を備えていることを特徴とする記録装置。
【請求項５】
前記シングルモードのとき、前記原稿が排紙されるタイミングと、前記記録紙が排紙されるタイミングとが略一致するよう、前記第１搬送手段及び前記第２搬送手段での搬送タイミングを調整する排紙調和手段を備えることを特徴とする請求項４記載の記録装置。
【請求項６】
前記排紙調和手段は、前記シングルモード時に前記第１搬送手段での前記原稿の搬送が開始されてから、予め定められた一定期間経過後、前記第２搬送手段での前記記録紙の搬送を開始することを特徴とする請求項５記載の記録装置。
【請求項７】
前記第２搬送手段では、感光体、搬送ローラ、定着手段を含むことを特徴とする請求項４〜６何れか記載の記録装置。
【発明の詳細な説明】
【０００１】
【発明の属する技術分野】
本発明は、コピー機能を有する記録装置に関する。
【０００２】
【従来の技術】
近年、電子写真方式の記録装置を備えた多機能型のファクシミリ装置が普及しており、中でもコピー機能を備えたものが多くなっている。そして、このコピー機能については、メモリモードと、シングルモードの２つのコピーモードが用意されているものがある。また、パーソナルコンピュータなどの外部装置からのデータを印刷する機能をも備えたものもある。
【０００３】
このうちメモリーモードとは、スキャナで読みとった画像データを圧縮してページ単位毎にメモリに記憶させた後、その画像データを解凍しながら記録紙への印刷を行って複写を行うモードで、複数枚の記録紙にメモリに記憶された圧縮された画像データを使って同じ画像を記録する場合などに向いたモードである。
【０００４】
一方、シングルモード（同時コピーモード）は、スキャナで原稿を読み取りながら複写を行うモードで、すぐにコピーを行いたい場合などに適するモードである。このシングルモードでは、読みとった画像データを圧縮を行わずにそのままメモりに記憶しながら、そのメモリに記憶された画像データを順次出力することにより印刷を行っている。
【０００５】
メモリーモードで一旦記憶された画像データを連続して記録紙に画像を印刷する場合、印刷を装置が備えている最高速度で行うために、図８（ａ）に示すように、現在印刷を行っているページの印刷が終了する直前に、次に印刷すべきページの画像データが、メモリに記憶されているかチェック（符号αで示した部分）して、次頁の記録を行っていた。
【０００６】
【発明が解決しようとする課題】
一方、ファクシミリ装置やコピー機、プリンタでは、耐久性を向上するため、印刷が行われていないときは、記録紙を搬送する搬送ローラ等の搬送手段を停止したいという要求があるが、シングルモードでコピーを行う場合、図８（ｂ）に示すように、スキャナでの次頁の画像の読み取りが始まっていない状態でメモリ内のデータの有無をチェックして、無用に搬送手段を停止してしまうために、再度次原稿を確認して、搬送手段を立ち上げるのに時間を要し、複写の速度が遅くなるという問題があった。
【０００７】
この問題に対してはスキャナの読取速度を速くすることによって対応することも考えられるが、近年の記録速度の向上に対して、ＣＣＤ等の撮像素子の処理能力等から読取速度を速くすることは限界があり、現実的には読取速度を上げることは困難であった。
【０００８】
そこで、本発明は、原稿を読取ながら画像形成を行う際に、スムーズに複写を行うことができる多機能型の記録装置を提供することを目的とする。
【０００９】
【課題を解決するための手段及び発明の効果】
上記課題を解決するための請求項１記載の記録装置は、原稿台に載置された複数の原稿を第１速度で一枚ずつ読み取る読取手段と、その読取手段により読み取られた画像データを前記第１速度より速い第２速度で搬送される記録紙上に画像形成が可能な画像形成手段とを備えた記録装置であって、前記読取手段により読み取られた画像データを記憶するための記憶手段と、その記憶手段に記憶された画像データを読み出して前記画像形成手段に画像形成させるために、前記読取手段により原稿を読み取りながら前記画像形成手段により画像形成を行う同時コピーモードにおいては、前記記憶手段に次ページの画像データが存在するか否かを、その次ページの画像データの前記記憶手段への記憶が既に開始されている時点であると予め想定されるタイミングで確認する確認手段と、その確認手段により、次ページの画像データが前記記憶手段に存在しないと判定されたら前記記録紙の搬送を停止し、一方、次ページの画像データが前記記憶手段に存在すると判定されたら前記記録紙の搬送を継続して、次の記録紙を搬送する搬送制御手段と、を備えていることを特徴とする。
【００１０】
この請求項１記載の記録装置では、同時コピーモードのときには確認手段による確認のタイミングを次ページの画像データの記憶手段への記憶が既に開始されている時点であると予め想定されるタイミングで確認している。そのため、同時コピーモードのとき画像形成手段により先の記録紙への画像形成が終了する直前のタイミングで確認すると、読取手段で次の画像データが読み込まれていない、間違ったタイミングで、記憶手段に画像データが記憶されているか確認してしまうことがあるが、この請求項１記載の記憶手段のようにすれば、同時コピーモードの場合でも、正しいタイミングで確認される。
【００１１】
従って、この請求項１記載の記録装置を用いると、同時コピーモード、すなわちシングルコピーモードのときであっても、次に記録すべき画像データが記憶手段に記憶されているときは、記録紙を搬送する搬送手段を停止させることなく、スムーズに記録紙に画像を形成することができる。
【００１２】
また、この請求項１記載の記録装置を用いれば、次に記録すべき画像データが記憶手段により記憶されていないときは、搬送手段の動作を停止させることができるので、搬送手段の耐久性を維持できる。
次に、請求項２記載の記録装置のように、確認手段は、読取手段により読み取られた画像データを一旦全て記憶手段に記憶させてから画像形成手段により画像形成を行うメモリモードの場合、記憶手段に次ページの画像データが存在するか否かを、画像形成手段により先の記録紙への画像形成が終了する直前のタイミングで確認してもよい。このメモリモードは、読取手段により読み取られた画像データを一旦全て記憶手段に記憶させ、読込手段により画像データが読み込まれるのを待つ必要がないので、この請求項２記載の記録装置を用いると、画像形成手段により先の記録紙への画像形成が終了する直前のタイミングで画像データが存在するか否かを確認することで、画像形成手段により記録紙に画像を次々に高速で記録させることができる。
【００１３】
次に、請求項３記載の記録装置のように、パーソナルコンピュータなどの外部装置からのデータを受信可能な受信手段を更に備え、その受信手段により受信されたデータを記憶手段に記憶させるように構成され、確認手段は、外部装置からのデータの記録時には、記憶手段に次ページの画像データが存在するか否かを、画像形成手段により先の記録紙への画像形成が終了する直前のタイミングで確認してもよい。パーソナルコンピュータなどの外部装置からのデータ受信は、通常、記録紙上に画像を形成する第２の速度より高速に行われるので、画像形成手段により先の記録紙への画像形成が終了する直前のタイミングで画像データの存在を確認しても、問題なく高速に記録を行うことができる。
【００１４】
次に、請求項４記載の記録装置は、コピー機能を備えた記録装置であって、複数の原稿が載置される原稿台から１枚ずつ取り込まれた前記原稿を第１速度で第１搬送路に沿って連続して搬送する第１搬送手段と、前記第１搬送手段により連続して搬送されてくる前記原稿を読み取って画像データに変換する読取手段と、前記読取手段で読み取られた画像データをメモリに記憶する記憶手段と、画像を記録するための記録紙を、前記第１速度よりも速い第２速度で、第２搬送路に沿って搬送する第２搬送手段と、前記メモリに記憶された画像データに基づいて、前記第２搬送手段により搬送される前記記録紙上に画像を形成する画像形成手段と、前記読取手段で画像を読み取りながら、前記記録紙上に画像を記録するため、前記読取手段で読み取った画像データを前記記憶手段により前記メモリに記憶させつつ、該メモリに記憶された前記画像データを前記画像形成手段に順次出力するシングルモードのときは、次の画像データの前記メモリへの記憶が既に開始されている時点であると予め想定されるタイミングに、次の前記記録紙へ記録すべき画像の画像データが前記メモリに記憶されているか否かチェックするチェック手段と、該チェック手段により、画像データが前記メモリに記憶されていないと判定されたら前記第２搬送手段を停止し、一方、画像データが前記メモリに記憶されていると判定されたら前記第２搬送手段の動作を継続して、次の前記記録紙を搬送する搬送制御手段とを備えていることを特徴とする。
【００１５】
この請求項４記載の記録装置では、シングルモードのときは、次の画像データの記憶手段への記憶が既に開始されている時点であると予め想定されるタイミングに、次の記録紙へ記録すべき画像の画像データが前記メモリに記憶されているか否かチェックしている。そして、画像データがメモリに記憶されていないと判定されたら第２搬送手段を停止し、一方、画像データがメモリに記憶されていると判定されたら第２搬送手段の動作を継続している。
【００１６】
従って、この請求項４記載の記録装置を用いれば、シングルコピーモードのときであっても、次に記録すべき画像データがメモリに記憶されているときは、第２搬送手段を停止させることなく、スムーズに記録紙に画像を形成することができる。
【００１７】
また、この請求項４記載の記録装置を用いれば、次に記録すべき画像データがメモリに記憶されていないときは、第２搬送手段の動作を停止しているので、第２搬送手段の耐久性を維持できる。
次に、請求項５記載の記録装置のように、シングルモードのとき、原稿が排紙されるタイミングと、記録紙が排紙されるタイミングとが略一致するよう、前記第１搬送手段及び前記第２搬送手段での搬送タイミングを調整する排紙調和手段を備えてもよい。この排紙調和手段を備えると、原稿と記録紙とが同時に排紙されるため、視覚的にスムーズに複写が行われているかのように操作者に思わせることができる。
【００１８】
そしてこの排紙調和手段は、具体的には、請求項６記載の記録装置のように、シングルモード時に第１搬送手段での原稿の搬送が開始されてから、予め定められた一定期間経過後、第２搬送手段での記録紙の搬送を開始するとよい。このようにすると簡単な制御で排紙の調和が図れるからである。
【００１９】
請求項７記載の記録装置のように、第２搬送手段では、感光体、搬送ローラ、定着手段を含むことが好ましい。特に、電子写真方式の記録では、一旦、感光体、搬送ローラ、定着装置などの第２搬送手段を停止させると、復帰するまでに所定の手順に従って相当時間を要するため、特に記録を高速かつスムーズに行うことができる。
【００２０】
【発明の実施の形態】
以下に、本発明の実施形態を図面を用いて説明する。
尚、以下の説明で用いる図面のうち、図１は本発明が適用されたファクシミリ装置の外観を表す斜視図、図２はその内部機構を表す説明図である。
１）外観構成
本実施形態のファクシミリ装置２は、原稿から画像を読み取り、その画像データをファクシミリデータとして電話回線を介して他のファクシミリ装置に送信すると共に、電話回線を介して他のファクシミリ装置から送信されてきたファクシミリデータ（ＦＡＸデータ）を受信して、記録紙にその画像を形成する通常のファクシミリ装置としての機能（ファクシミリ機能）の他、パーソナルコンピュータ（以下、パソコンという）やワードプロセッサ等からプリンタケーブルを介して伝送されてきたコードデータ（ＰＣデータ）等を受けて、そのデータに応じた画像を記録紙に形成するプリンタとしての機能（プリンタ機能）、及び、原稿から画像を読み取り、その画像データに基づいて記録紙に画像を複写する機能（コピー機能）を有する。
【００２１】
このファクシミリ装置２は、図１に示すように、その本体１０の側部に受話器１２が取り付けられ、上面の前部には操作パネル１４が設けられている。また、本体１０の上面後部には、記録紙用の第１給紙トレイ２０が設けられ、その上には同じく記録紙用であって手差しで記録紙を扱うときに利用する第２給紙トレイ１８、さらにその上には原稿用の給紙トレイ１６が形成されている。
【００２２】
操作パネル１４は、次のように構成されている。すなわち、図１に示すように、相手側のＦＡＸ番号を入力するための数字キー１４１やスタートボタン１４２、モード選択ボタン１４４等の各種操作キー１４０と、各種機能に関連する情報を表示する液晶ディスプレイ１４３とを備えている。
２）内部構成
本体１０には、図２に示すように、原稿から画像を読み取るためのスキャナ部２２、記録紙に画像を形成するための記録部２６、およびこれら各部を駆動制御する制御部７０が内蔵されている。
【００２３】
スキャナ部２２では、給紙トレイ１６に載置された原稿が、給紙ローラ３２および分離パッド３１等からなる給紙機構によって一枚ずつ取り込まれる。そして、原稿は、搬送ローラ３３により読取装置３５まで搬送され、画像が読み取られる。また画像読取後の原稿は、排紙ローラ３６を介して、本体１０の前面に設けられた第１排紙トレイ３９に排出される。その他、このスキャナ部２２には、原稿の先頭を検出する原稿フロントセンサ３７と、原稿の後端を検出する原稿リアセンサ３８とが設けられている。
【００２４】
記録部２６では、第１給紙トレイ２０あるいは第２給紙トレイ１８に載置された記録紙が、給紙ローラ５１および分離パッド５２等からなる給紙機構によって一枚ずつ取り込まれる。そして、記録紙は、搬送ローラ５３を介して画像形成装置５５に送られ、画像形成装置５５で記録上にトナーによる画像が形成され、さらに下流側の定着装置４０に送られてトナーによる画像が記録紙上に定着され、排紙ローラ５７を介して、本体１０の前面に設けられた第２排紙トレイ５８に排出される。
【００２５】
このうち画像形成装置５５は、感光ドラム６１と、感光ドラム６１にレーザ光を照射してその表面に静電潜像を形成するレーザ光走査装置６２と、静電潜像形成後の感光ドラム６１にトナーを付着する現像装置６３と、記録紙２４に電荷を付与して、感光ドラム６１に付着したトナーを記録紙２４に転写させる転写ローラ６４と、トナーを貯留するトナータンク６５とにより構成され、更に、レーザ光走査装置６２は、制御部７０からの指令に従ってレーザ光を発射するレーザ発光部６７、レーザ光反射用のレンズ６８、およびレンズ６８に反射にされたレーザ光を感光ドラム６１に導く反射ミラー６９等を備えている。すなわち、記録部２６は、いわゆるレーザプリンタとして構成されており、制御部７０からの指令に従い、記録紙にトナー画像を形成する。
３）主な構成
次に、後述する各種処理で制御される主な構成について説明する。
【００２６】
尚、図３は本実施形態の構成を示すブロック図である。
本実施形態のファクシミリ装置２は、後述する各種処理を行う制御部７０と、この制御部７０に備えられ、画像データを記憶するメモリ７１とを備えている。
また、このファクシミリ装置２は、給紙トレイ１６に取り付けられ、原稿の有無を検知する原稿センサ２０ａと、スキャナ部２２用の第１モータ２２ａとを備えている。このうち第１モータ２２ａは、図示しないギアを介して搬送ローラ３３、排紙ローラ３６に連結されている。そのため、この第１モータ２２ａを制御部７０での処理に従って稼働させると、給紙ローラ３２で取り込まれた原稿が、図２の１点鎖線で表した第１搬送路に沿って、第２給紙トレイ１８から第１排紙トレイ３９まで搬送される。また、この第１モータ２２ａは、図示しないギアを介して給紙ローラ３２にも連結されている。そのため、制御部７０から給紙の指令があると、第１モータ２２ａと給紙ローラ３２とを連結させて、給紙ローラ３２を回転させ原稿を取り込んで、搬送ローラ３３に原稿を供給している。
【００２７】
また、このファクシミリ装置２は、第２モータ２６ａを備えている。この第２モータ２６ａは、図示しないギアを介して搬送ローラ５３、排紙ローラ５７に連結されている。そのため、この第２モータ２６ａを制御部７０での処理に従って稼働すると、給紙ローラ５１で取り込まれた記録紙が、図２の１点鎖線で表した第２搬送路に沿って、第１給紙トレイ２０あるいは第２給紙トレイ１８から第２排紙トレイ５８まで搬送される。また、この第２モータ２６ａは、図示しないギアを介して給紙ローラ５１にも連結されている。そのため、制御部７０から給紙の指令があると、第２モータ２６ａと給紙ローラ５１とを連結させて、給紙ローラ５１を回転させ記録紙を取り込んで、搬送ローラ５３に記録紙を供給している。さらに、この第２モータ２６ａは、図示しないギアを介して定着装置４０や、画像形成装置５５を形成する感光ドラム６１、転写ローラ６４等に連結されている。そのため制御部７０での処理に従ってこの第２モータ２６ａを稼働すると、それぞれ、トナーで形成された画像を記録紙に転写したり、記録紙に転写されたトナーを溶融して定着させたりする一方で、第２搬送路に沿って記録紙を搬送している。
【００２８】
さらに、このファクシミリ装置２は、レーザー光走査装置６２を制御部７０での処理に従って可動させると、レーザ−光を感光ドラム６１に照射して、感光ドラム６１上に静電潜像を形成する。そしてこの静電潜像は、感光ドラム６１から記録紙に転写される。
【００２９】
また、このファクシミリ装置２は、ＦＡＸデータを送受信する送受信部８０と、ＰＣからの画像データを受信するインターフェイス８２とを備え、制御部７０との間でこれらのデータを送受信可能に接続されている。そして、制御部７０では、メモリ７１が空いている分データを送受信部８０及びインターフェイス８２に受信させて、メモリ７１にデータを記憶させ、メモリ７１が空いたらまたその分データを受信するという制御を行っている。
４）各種処理
次に、制御部７０で行われる各種処理について説明する。
【００３０】
尚、以下の説明で用いる図面のうち、図４は読込処理のフローチャート、図５はシングルモード処理のフローチャート、図６はシングルモード処理のタイムチャート、図７はメモリーモード処理のフローチャートである。
４−１）  まず、読込処理について説明する。
【００３１】
この読込処理７０ａは、スタートボタン１４２がオンされると開始され、まず、第１モータ２２ａが始動される（Ｓ１０：Ｓはステップを表す、以下同じ）。次に、原稿センサ２０ａにより、給紙トレイ１６上に原稿が載置されているかが判定される（Ｓ１２）。そして、この判定（Ｓ１２）で肯定判定されると、給紙ローラ３２により原稿が取り込まれ（Ｓ１４）、原稿が第１搬送路上を搬送されて読取装置３５で原稿上の画像が読み込まれて、その画像データがメモリ７１に記憶される（Ｓ１６）。このとき（Ｓ１６）、画像データは、メモリモードであれば一旦全てのデータがメモリ７１に記憶され、シングルモードであれば、読み込まれた画像データがメモリ７１に記憶されながら、記録のために読出される。
【００３２】
そしてこの処理（Ｓ１６）が行われている間、原稿上に記録された画像の読み取りを開始してからＴr1秒経過したか否かが判定され（Ｓ１８）、この判定（Ｓ１８）で肯定判定されるまで、Ｓ１６の処理が実行される。ここで、Ｔr1秒は、原稿の長さ（Ａ４の場合２９４ｍｍ）を、原稿が第１搬送路を搬送される速度１１ｐｐｍ（１分間あたり１１枚の原稿を送るスピード：本発明の第１速度）で割った時間である。具体的には、Ａ４の場合、約５．４秒である。
【００３３】
この判定（Ｓ１８）で肯定判定されると、次のページの画像データを読み込めるか否か、メモリ７１の記憶容量がチェックされ（Ｓ２０）、この判定（Ｓ２０）で肯定判定されるまで待機される。一方、この判定（Ｓ２０）で肯定判定されたら、次ページの給紙が許可され（Ｓ２２）、以後Ｓ１２〜Ｓ２２の処理が、Ｓ１２の判定で否定判定されるまで繰り返し行われる。Ｓ１２の判定で否定判定されたら本処理７０ａを終了する。
４−２）  次に、シングルモード処理について説明する。
【００３４】
このシングルモード処理７０ｂは、スタートボタン１４２がオンされたとき、モード選択ボタン１４４がシングルモードを選択するよう操作されていると開始され、まず、図５に示すように、第２搬送路上の各種機器の動力源である第２モータ２６ａを始動させている（Ｓ３０）。次に、読取装置３５で画像の読み取りが始まってからＴw1秒（図６参照）経過したか否かが判定される（Ｓ３２）。このようにしているのは、シングルモード処理７０ｂでは、原稿の排紙のタイミングと記録紙の排紙のタイミングとを一致させるため、このように搬送速度の速い記録側のスタートを遅らせるためである。
【００３５】
次に、この判定（Ｓ３２）で肯定判定されたら、給紙ローラ５１を動作させ記録紙の取り込みを行い（Ｓ３４）、記録部２６で記録紙上に画像を形成する処理が実行される（Ｓ３６）。そして、この処理が実行されている間、記録が開始されてからＴw2秒（図６参照）経過したか否かが判定され（Ｓ３８）、この判定（Ｓ３８）で肯定判定されるまで、Ｓ３６の処理が実行される。尚、Ｓ３８でのＴw2は、記録紙の長さ（Ａ４の場合２９４ｍｍ）を、第２搬送路を記録紙が搬送される速度１４ｐｐｍ（１分間あたり１４枚の記録紙を送るスピード：本発明の第２速度）で割った時間である。具体的には、Ａ４の場合、約３．５秒である。このＴw2は、図６に示すようにＴw1との合計がＴr1よりややきくなるよう設定される。
【００３６】
次に、この判定（Ｓ３８）で肯定判定されたら、Ｔw3秒（図６では、Ｔw2が経過してからαで示した時点までの時間）経過したか判定する（Ｓ４０）。Ｔw3は、読込処理７０ａのＳ１８の判定で肯定判定され、第１搬送速度で原稿を送りこんでいるとき、マージン５０ｍｍ分の距離を搬送するのに要する時間Ｔr2（図６参照）よりも少し長めに設定されている。
【００３７】
そして、この判定（Ｓ３８）で肯定判定されると、次に、読込処理７０ａにより次の原稿の画像の読み込みがなされて、その画像データがメモリ７１に記憶されているか判定する（Ｓ４２）。この判定（Ｓ４２）で否定判定されれば、第２モータ２６ａを停止して、本処理７０ｂを終了し、この判定（Ｓ４２）で肯定判定されれば、Ｓ３２〜Ｓ４２の処理を繰り返す。
４−３）  次に、メモリーモード処理について説明する。
【００３８】
このメモリーモードコピー処理７０ｃは、スタートボタン１４２をオンされたとき、モード選択ボタン１４４がメモリーモードを選択するよう操作されているか、あるいは、ファクシミリ送受信部８０がＦＡＸデータを受信したときあるいは、ＰＣインターフェイス８２がＰＣから画像データを受信すると開始され、まず、図７に示すように、第２搬送路上の各種機器の動力源である第２モータ２６ａを始動する（Ｓ５０）。次に、最初の原稿の１ページ分の画像データがメモリ７１に記憶されたか否かを判定し（Ｓ５２）、この判定（Ｓ５２）で肯定判定するまで待機する
一方、この判定（Ｓ５２）で肯定判定されたら、給紙ローラ５１を動作させ記録紙の取り込みを行い（Ｓ５４）、記録部２６で記録紙上に画像を形成する処理が実行される（Ｓ５６）。そして、この処理が実行されている間、記録が開始されてからＴr6秒経過したか否かが判定され（Ｓ５８）、この判定（Ｓ５８）で肯定判定されるまで、Ｓ５６の処理が実行される。尚、Ｓ５８でのＴｒ６は、記録紙の長さ（Ａ４の場合２９４ｍｍ）を、第２搬送路を記録紙が搬送される速度１４ｐｐｍ（１分間あたり１４枚の記録紙を送るスピード）で割った時間よりも、やや短い時間で、本実施形態では、約３秒である。
【００３９】
次に、この判定（Ｓ５８）で肯定判定されたら、後述する何れかのフラグが設定されているか判定する（Ｓ６０）。この判定（Ｓ６０）で否定判定されたら、メモリ７１に次のページの画像データが記憶されているか判定する（Ｓ６２）。そして、この判定（Ｓ６２）で、画像データが記憶されていれば「ありフラグ」を設定し（Ｓ６４）、記憶されていなければ「なしフラグ」を設定する（Ｓ６６）。  次に、Ｓ６０でフラグがすでに設定されていると判定されたり、Ｓ６４、Ｓ６６の処理でフラグが設定されたら、Ｓ５４で記録紙の給紙を開始してからＴr7秒経過したか否かを判定する（Ｓ６８）。尚、Ｓ６８でのＴr7は、記録紙の長さ（Ａ４の場合２９４ｍｍ）を、第２搬送路を記録紙が搬送される速度１４ｐｐｍ（１分間あたり１４枚の記録紙を送るスピード）で割った時間である。具体的には、Ａ４の場合、約３．５秒である。
【００４０】
そして、この判定（Ｓ６８）で否定判定されると、再びＳ５４〜Ｓ６８の処理が繰り返され、この判定（Ｓ６８）で肯定判定されると、設定されたフラグが「ありフラグ」か否かが判定される（Ｓ７０）。
この判定（Ｓ７０）で、否定判定された場合、すなわちメモリに次に印刷すべき画像の画像データが記憶されていないということなので、フラグを消去（Ｓ７２）して、直ちに第２モータを停止し（Ｓ７４）、本処理７０ｃを終了する。
【００４１】
一方この判定（Ｓ７０）で、肯定判定された場合、すなわちメモリに次に印刷すべき画像の画像データが記憶されているということなので、フラグを消去（Ｓ７４）して、新しい記録紙を取り込んで（Ｓ５４）、以下Ｓ７０までの処理を実行する。
５）作用・効果
本実施形態のファクシミリ装置２では、メモリーモードのときは、先の記録紙への画像の記録が終了する直前に（Ｓ５８）、次の記録紙へ記録すべき画像の画像データがメモリ７１に記憶されているか否かチェック（Ｓ６２）し、シングルモードのときは、次の画像データの記録が開始されると想定されるタイミングに（Ｓ４０）、次の記録紙へ記録すべき画像の画像データがメモリ７１に記憶されているか否かチェックしている（Ｓ４２）。そして、画像データがメモリ７１に記憶されていないと判定されたら第２モータ２６ａを止めて（Ｓ４４）記録紙の搬送を停止し、一方、画像データがメモリ７１に記憶されていると判定されたら記録紙の搬送を継続している。
【００４２】
従って、本実施形態のファクシミリ装置２を用いれば、シングルモードのときであっても、次に記録すべき画像データがメモリ７１に記憶されているときは、図６に示すように、第２モータ２６ａを停止させることなく、スムーズに記録紙に画像を形成することができる。
【００４３】
また、本実施形態のファクシミリ装置２を用いれば、次に記録すべき画像データがメモリ７１に記憶されていないときは、第２モータ２６ａを直ちに停止している（Ｓ４４）ので、ファクシミリ装置２の耐久性を向上させることができる。
次に、本実施形態のファクシミリ装置２のシングルモードでは、原稿と記録紙とが同時に排紙されるため、視覚的にスムーズに複写が行われているかのように操作者に思わせることができる。
【００４４】
次に、本実施形態のファクシミリ装置２では、スキャナ部２２での原稿の搬送が開始されてから、予め定められた一定期間経過後、読取部２６での記録紙の搬送を開始しているので、簡単な制御で、原稿と記録紙の配置タイミングの調和がとれる。
【００４５】
尚、本発明の実施の形態は、上記実施形態に何ら限定されるものではなく、本発明の技術的範囲に属する限り種々の形態を採り得ることはいうまでもない。
例えば、上記実施形態では、本発明が適用されたファクシミリ装置について記載したが、本発明は、コピー機や、プリンタ等に適用してもよい。
【００４６】
本実施形態の第１モータ２２ａ及び、搬送ローラ３３，３６、給紙ローラ３２が、請求項４〜６の発明の第１搬送手段に相当し、読取装置３５が読取手段に相当する。また、本実施形態の第１モータ２２ａ及び、搬送ローラ３３，３６、給紙ローラ３２、読取装置３５が請求項１〜３の読取手段に相当する。
【００４７】
また、本実施形態の第２モータ２６ａ及び、搬送ローラ５３、排紙ローラ５７、感光ドラム６１及び転写ローラ６４、定着装置４０、給紙ローラ５１が本発明の第２搬送手段に相当し、本実施形態の記録部２６が請求項４〜６の画像形成手段に相当する。また、本実施形態の第２モータ２６ａ及び、搬送ローラ５３、排紙ローラ５７、感光ドラム６１及び転写ローラ６４、定着装置４０、給紙ローラ５１、記録部２６が請求項１〜３の画像形成手段に相当する。
【００４８】
さらに、本実施形態のモード選択ボタン１４４及び、シングルモード処理７０ｂ及びメモリーモード処理７０ｃが本発明のモード切替手段に相当し、Ｓ４２及びＳ６２の処理が本発明のチェック手段に相当し、Ｓ４２とＳ４４、Ｓ６２とＳ７０とＳ７４の処理が本発明の搬送制御手段に相当する。
【００４９】
また、本実施形態のＳ３２の処理が本発明の排紙調和手段に相当する。
【図面の簡単な説明】
【図１】  本実施形態のファクシミリ装置の外観を表す斜視図である。
【図２】  ファクシミリ装置の内部機構を表す説明図である。
【図３】  本実施形態の主構成を示すブロック図である。
【図４】  読込処理のフローチャートである。
【図５】  シングルモード処理のフローチャートである。
【図６】  シングルモード処理のタイムチャートである。
【図７】  メモリモード処理のフローチャートである。
【図８】  従来の技術において行われている処理に関するタイムチャートである。
【符号の説明】
２…ファクシミリ装置、１０…本体、１２…受話器、１４…操作パネル、１６…給紙トレイ、１８…第２給紙トレイ、２０…第１給紙トレイ、２０ａ…原稿センサ、２２…スキャナ部、２２ａ…第１モータ、２４…記録紙、２６…記録部、２６ａ…第２モータ、３２…給紙ローラ、３３…搬送ローラ、３５…読取装置、３６…排出ローラ、３７…原稿フロントセンサ、３８…原稿リアセンサ、３９…第１排紙トレイ、４０…定着装置、５１…給紙ローラ、５３…搬送ローラ、５５…画像形成装置、５７…排紙ローラ、５８…第２排紙トレイ、６１…感光ドラム、６２…レーザ光走査装置、６３…現像装置、６４…転写ローラ、６５…トナータンク、６７…レーザ発光部、６８…レンズ、７０…制御部、７１…メモリ、８０…インターフェイス、８２…ＦＡＸ受信部、１４０…各種操作キー、１４１…数字キー、１４２…スタートボタン、１４３…液晶ディスプレイ、１４４…モード選択ボタン
【図１】
0004345247.tif 000002
【図２】
0004345247.tif 000003
【図３】
0004345247.tif 000004
【図４】
0004345247.tif 000005
【図５】
0004345247.tif 000006
【図６】
0004345247.tif 000007
【図７】
0004345247.tif 000008
【図８】
0004345247.tif 000009